(57)【要約】      （修正有）【課題】ごみが溜まれば容器ごと使い捨てる水切り容器を提供する事。【解決手段】水切り容器は一般ゴミとして燃やせる素材で形成され、構造材として、厚紙などの濡れても型崩れしない強度を有するものを用いる。容器として多面構成による立体構造をもたせ、複数の面と面の組み合わせにより立脚を可能とさせるか、又は一の面を筒状に湾曲させたり何段かに折り曲げて立体構造を形成させるなどし、その内部にネット材や不織布などの水切り用部材を張って生ごみの収容を可能とし、水切り容器としての機能をもたせる。容器として使用されるとき以外はかさ張らないよう折りたたむことによる圧縮、低容量化が可能で、使用時には簡単に広げて水切り容器として機能する容器であって、使用後ごみの処分時には容器ごとそのまま捨てることができる使い捨ての水切り容器。【選択図】  図３
2006131347.tif 000002
【特許請求の範囲】
【請求項１】
生ごみなどをまとめて捨てるために溜め置くいわゆる三角コーナー式水切り容器などの調理場に設置して使用する水切り容器において、容器自体をゴミといっしょに使い捨てできるようにするため、材質は一般の燃やせるごみとして生ごみを収容した状態のまま捨てられる可燃性の素材で、構造は容器としての立体形状を保持するため、複数の平面や曲面の組み合わせにより立脚を可能とさせるか、又は一の面を筒状に形成するか、湾曲または屈折させることにより３次元の立体構造を形成させ、面でささえる構造をもたせたことを特徴とする容器で、立体内部にはごみを溜め置きしかも水分を容器外に自然に排出する機能を持った底面を設ける。圧縮、低容量化のため折りたたむことができ使用時には簡単に広げて水切り容器として機能する容器であって、使用後ごみの処分時には容器ごとそのまま捨てることができる使い捨ての水切り容器。
【請求項２】
シンク（流し槽）の周囲に設置されている水道金具の胴体部分に容器を引っかけるためのアーム（支持腕部）を付けることにより、水切り容器本体はシンク内に位置しながら、アームを介して水道金具に係止して使用することができる請求項１に記載の水切り容器。
【発明の詳細な説明】
【技術分野】
【０００１】
本発明は調理時の野菜くずなどの生ごみを捨てる水切り容器に関することである。
【背景技術】
【０００２】
三角コーナー式水切り容器などのシンク内に設置して使用する水切り容器では容器本体とその内壁に沿うように被覆して使う水きり網や水きり袋を容器本体に装着してその中にごみを溜め、捨てるときには水きり網や水切り袋を水切り容器からはずして捨てる。
【特許文献１】特開平１１-３２２００４
【特許文献２】特開２００１-２１４４９０
【特許文献３】特開平１０-０３５８０１
【発明の開示】
【発明が解決しようとする課題】
【０００３】
三角コーナー式水切り容器などのシンク内に設置して使用する水切り容器では容器本体とその内壁に沿うように被覆して使う水きり網や水きり袋を容器本体に装着してその中にごみを溜め、捨てるときには水きり網や水切り袋を水切り容器からはずして捨てるという動作を繰り返していた。
【０００４】
この方法では毎回水切り袋の水切り容器への付け外しの手間がかかり、さらに水切り容器の継続使用による汚れの蓄積や雑菌の繁殖によるぬめりなどで不衛生になりがちで、食品を扱う現場で使用されるものとしては好ましくない状態であった。
【０００５】
一方、
【０００６】
に表記した不具合を解消するため、三角コーナー式水切り容器を使わず、円形や四角形などの環状の開口部だけを形成し、ひっかけフックや吸盤などの係止具で流し台の縁や台平面部などに係止保持し、開口部に沿わせて水切り袋の開口部を取り付ける形式のものなどが提供されている。
【０００７】
このような方法でも係止部や環状開口部などの水切り具本体は使い捨てではなく、よって水切り袋の付け外しの手間や継続使用される環状開口部や固定された係止部の衛生面の問題は改善されない。また、このようなひっかけフックや吸盤による方法では調理や清掃などの現場作業のじゃまになることがある。
【課題を解決するための手段】
【０００８】
容器を構成する素材は一般の燃やせるごみとして生ごみを収容した状態のまま捨てられる可燃性の素材で形成され、かつ容器としての形状を保持するため、厚紙や自然原料でできた土に返るプラスチックなどの濡れても型崩れしない程度の強度を有する素材を用いる。
【０００９】
容器として立脚させるための構造は面でささえる立体構造をもたせるもので２枚以上の複数の平面や曲面の組み合わせにより立脚を可能とさせるか、又は一の面を筒状や半円柱状、円錐状などに湾曲させたり、ジャバラ状に何段かに屈折させることにより曲面や屈折面による３次元の立体構造を形成する。
【００１０】
立体の内部には排水のための複数の孔が開けられた面構造材やネット状素材、不織布などの透水性のある素材で容器の底面を形成し水切り容器としての機能をもたせる。
【００１１】
容器として使用されるとき以外はかさ張らないよう折りたたむことによる圧縮、低容量化が可能で運送経費の節約と商品陳列の効率化に有利となり、使用時には簡単に広げて水切り容器として機能する容器であって、使用後ごみの処分時には容器ごとそのまま捨てることができる使い捨ての水切り容器。
【００１２】
一般にあるひっかけフックや吸盤を備えた水きり装置に替えて、使い捨ての支持腕部（アーム）を水切り容器本体に一体的に装備することで、水道金具の根元付近の胴体部分に引っかけて容器を係止保持することができる使い捨ての水切り容器。
【発明の効果】
【００１３】
ごみを収容したまま容器ごと使い捨てとすることで従来の水切り容器が不要となり、水切り袋の水切り容器への着脱の手間がなくなる。同時に汚れや雑菌の繁殖によるぬめりなどで不衛生になりがちな従来型容器を無くすことで衛生面に優れた調理場環境を提供する。
【００１４】
水道金具の胴体部分に巻きつけることができる使い捨てのアームを容器本体に装備することにより、アームと一体に容器を取り外して捨てることができ、水切り袋の取りかえの手間がなくなると同時に、継続使用により不衛生となりがちなフックや吸盤などの係止具が不要となる。
【発明を実施するための最良の形態】
【００１５】
容器として立脚させるための構造材として、濡れても型崩れしない程度の強度と簡単に折り曲げることのできる柔軟性を備えた厚紙などの素材が最適である。面と面の組み合わせにより立脚を可能とさせるか、又は一の面を筒状に丸めて立体構造を形成させるなどして開口部と胴体を備えた容器としての体裁をもたせる。
【００１６】
ごみの収容部にあたる胴体内部には底面にビニール繊維でできたネット材や不織布などの破れにくく水切り用途に適した素材を用い、構造材とともに一体的に一般ごみとして処分できる素材を採用する。
【００１７】
立脚のための構造材と、ごみを溜め置き水を切るネット部材などとの接合には濡れたごみを入れても剥がれないような強度が要求されるが、一般にはごみの分別に問題ない程度の微小の金属類としてのホッチキスは適材のひとつである。
【実施例１】
【００１８】
図１は、３箇所の折れ部を有する構造用厚紙Ａが、１箇所の重ねしろＢで両端を接合され４つの面を構成して立脚し、その内部底面付近にネット材Ｃを張ることによりごみ収容部を形成する使い捨ての水切り容器の実施例の一つである。
【００１９】
図２は図１の実施例を図の奥行き方向に圧縮した状態を示し、図２の状態よりさらに圧縮し厚みをなくすことで、運送経費の節減と商品陳列場所の効率的運用をはかろうとするものである。尚、図２の例では構造用厚紙で形成された容器の側面全体に、構造材としての強度を損なわない程度に円形の水抜き孔Ｄを装備した。
【実施例２】
【００２０】
図３は一の面を筒状に丸めて立体構造を形成させ、その内壁と底面全体にネット材を張り巡らせた使い捨ての水切り容器の実施の一例である。
【００２１】
図４は図３を容器の体裁に組み立てる前の状態で、容器の内側から見た状態を表す。
【図面の簡単な説明】
【００２２】
【図１】３箇所の折れ部を有する構造用厚紙Ａが、１箇所の重ねしろＢで両端を接合され４つの面を構成して立脚し、その内部底面付近にネット材Ｃを張ることによりごみ収容部を形成する使い捨ての水切り容器の実施例の一つである。
【図２】図１の実施例を図の奥行き方向に圧縮した状態を示し、構造用厚紙で形成された容器の側面全体に、構造材としての強度を損なわない程度に円形の水抜き孔Ｄを装備した。
【図３】図３は一の面を筒状に丸めて立体構造を形成させ、その内壁と底面全体にネット材を張り巡らせた使い捨ての水切り容器の実施の一例である。
【図４】図４は図３を容器の体裁に組み立てる前の状態で、容器の内側から見た状態を表す。
【図５】図５はシンクの周囲に設置されている水道金具の胴体部分に容器を引っかけるためのアーム（支持腕部）を取り付けた水切り容器の一例である。
【符号の説明】
【００２３】
Ａ  構造用厚紙
Ｂ  重ねしろ
Ｃ  ネット材
Ｄ  水抜き孔
Ｅ  破線ｅの箇所で折り込んでネットを固定するフラップ部
Ｆ  円形構造部の上周縁部に引っかけるフック
Ｇ  組み合わせるためのスリット
Ｈ  水抜き孔
Ｉ１  アームのかみ合わせ部。Ｊとかみ合わせる。
Ｉ２  アームのかみ合わせ部。Ｊとかみ合わせる。
Ｉ３  アームのかみ合わせ部。Ｊとかみ合わせる。
Ｊ  アームのかみ合わせ部。Ｉ１またはＩ２またはＩ３とかみ合わせる。
Ｋ  折り目線。アームの断裂防止のため２つに折り合わせて強度を高める。
Ｌ  水切り容器本体の一例
【図１】
2006131347.tif 000003
【図２】
2006131347.tif 000004
【図３】
2006131347.tif 000005
【図４】
2006131347.tif 000006
【図５】
2006131347.tif 000007